(57)【要約】【課題】エネルギー消費に関する入力データやエネルギー需要予測値の評価検証が容易に行えるプラント運転支援装置を得ることである。【解決手段】データ入力手段１１で取り込んだ入力データ及び演算手段１３で演算された需要予測結果をデータ記憶部１２に記憶し、描画手段１７により入力データ及び需要予測結果を所定の書式の画面に作成して表示装置１５に表示する。そして、操作手段１８により表示装置１５に表示された画面を介して他の画面への遷移や入力データの修正を行う。所定の書式の画面には入力データ及び需要予測結果が表形式またはグラフ形式で表示され、画面上の操作ボタンの操作により他の画面に遷移して別のデータを表示したり、修正入力データの再入力を行う。【選択図】  図１
2004192566.tif 000002
【特許請求の範囲】
【請求項１】
外部からエネルギー消費に関するデータを入力データとして取り込むデータ入力手段と、外部から取り込んだ入力データに基づいてエネルギー需要予測の演算を行う演算手段と、前記データ入力手段で取り込んだ入力データ及び前記演算手段で演算された需要予測結果を記憶するデータ記憶部と、前記データ記憶部に記憶された入力データ及び需要予測結果を所定の書式の画面に作成する描画手段と、前記描画手段で作成された画面を表示する表示装置と、前記表示装置に表示された画面を介して他の画面への遷移を行う操作手段とを備えたことを特徴とするプラント運転支援装置。
【請求項２】
前記画面の所定の書式情報を記憶する書式情報記憶部と、他の画面への遷移に関する情報を記憶する遷移情報記憶部とを設け、前記描画手段は、前記書式情報記憶部の書式情報及び前記遷移情報記憶部の状態遷移情報に基づき、操作手段からの信号に応じて表示装置に画面を表することを特徴とする請求項１記載のプラント運転支援装置。
【請求項３】
前記データ入力手段は、外部からの動作信号あるいは一定周期にてデータを取り込み、前記描画手段は、前記データ入力手段からデータの入力があったときは画面の表示を更新することを特徴とする請求項１または請求項２に記載のプラント運転支援装置。
【請求項４】
前記描画手段は、画面の表示を更新したときは、各データ毎の読み込み時刻を画面に表示することを特徴とする請求項３に記載のプラント運転支援装置。
【請求項５】
前記データ記憶部に記憶された入力データを修正する際に修正データを一時的に保存するための一時記憶部を設け、前記描画手段は、前記データ記憶部に記憶された入力データの修正指令があったときは、前記入力データの修正画面を前記表示装置に表示し、前記修正画面を介して入力された修正データを一時的に一時記憶部に保存し、許可信号があったとき一時記憶部の修正データを前記データ記憶部に出力することを特徴とする請求項１乃至請求項４のいずれか１項に記載のプラント運転支援装置。
【請求項６】
前記描画手段は、複数の画面を同時に前記表示装置に表示することを特徴とする請求項１乃至請求項５のいずれか１項に記載のプラント運転支援装置。
【請求項７】
前記画面には、前記画面に表示されるデータの日付や時刻を切り替えるための操作ボタンが設けられたことを特徴とする請求項１乃至請求項６のいずれか１項に記載のプラント運転支援装置。
【請求項８】
前記画面には、前記画面に表示される数値データを文字による表形式の表示とグラフ形式の表示とに切り替えるための操作ボタンが設けられたことを特徴とする請求項１乃至請求項６のいずれか１項に記載のプラント運転支援装置。
【請求項９】
前記画面には、前記画面に表示されるデータを切り替えるための操作ボタンが設けられたことを特徴とする請求項１乃至請求項６のいずれか１項に記載のプラント運転支援装置。
【請求項１０】
前記画面には、前記所定の書式の項目に格納された情報を、追加、削除、あるいは変更するための操作ボタンが設けられたことを特徴とする請求項１乃至請求項６のいずれか１項に記載のプラント運転支援装置。
【請求項１１】
前記画面には、前記画面に現在表示されているデータの時間範囲を基準として、未来方向あるいは過去方向に範囲を変更するための操作ボタンが設けられたことを特徴とする請求項１乃至請求項６のいずれか１項に記載のプラント運転支援装置。
【請求項１２】
前記画面には、外部から取り込んだデータを、取り込んだ表示形式で表示するための操作ボタンが設けたことを特徴とする請求項１乃至請求項６のいずれか１項に記載のプラント運転支援装置。
【請求項１３】
前記操作ボタンの操作履歴を表示することを特徴とする請求項７乃至請求項１２のいずれか１項に記載のプラント運転支援装置。
【請求項１４】
コンピュータに、外部からエネルギー消費に関するデータを入力データとして取り込むデータ入力手順と、外部から取り込んだ入力データに基づいてエネルギー需要予測の演算を行う演算手順と、前記データ入力手段で取り込んだ入力データ及び前記演算手段で演算された需要予測結果をデータ記憶部に記憶する手順と、前記データ記憶部に記憶された入力データ及び需要予測結果を所定の書式の画面に作成する描画手順と、前記描画手段で作成された画面を表示装置に表示する手順と、前記表示装置に表示された画面を介して他の画面への遷移を行う操作手順を実行させるためのプログラム。
【発明の詳細な説明】
【０００１】
【発明の属する技術分野】
本発明は、プラントを運転操作する場合の支援情報を提供するプラント運転支援装置及びプログラムに関する。
【０００２】
【従来の技術】
石油化学や紙パルプ、鉄鋼などのプラントでは、外部から電気やガス、石油などの一次エネルギーを購入し、最終的には製品を製造し顧客へ販売する。その際に、動力設備では一次エネルギーを用いて、製品を製造するために必要な蒸気や冷水、温水、自家発電の電力などの二次エネルギーを生成し、製品を製造する生産設備へ供給する。
【０００３】
このようなプラントの運転操作を行うには、省コスト、省エネルギー、さらには環境への配慮から省ＣＯ２を図り、効率よく運転する必要がある。このことから、運転員に適切な運転を行うための情報を提供するプラント運転支援装置が適用されている。
【０００４】
例えば、動力設備には、氷蓄熱や冷水槽などの蓄熱装置や、生産設備から製造の途中で生成される副生燃料を貯めておくタンクなどがあり、動力設備にて省コスト運転をさせる場合には、電気代の安い夜間に適切な量の氷を作り、電気代の高い昼間には貯めておいた氷を冷熱として放出することで、電気代を減らすことができる。
【０００５】
この場合、将来使用される二次エネルギーの使用量を的確に予測しておかなければ、一次エネルギーを多く使いすぎて、例えば氷をたくさん貯めすぎたり、逆に氷を作る量が少なくて、必要な二次エネルギーを氷蓄熱より供給できず、割高な昼間の電気を使って不足分を生成せざるをえなくなる場合がある。つまり、二次エネルギーの使用量を予測して、必要な一次エネルギーの使用量を検討する必要がある。
【０００６】
また、動力設備として一般的に用いられるボイラーや、冷凍機、コージェネなどは、大気温度や冷却水温度によりエネルギーの生成効率が異なるため、例えば翌日の運転計画を精度良く立案するためには、大気温度や冷却水温度の未来情報に基づき、動力設備でのエネルギー生成量を見積もる必要がある。
【０００７】
そこで、プラントの運転コストが最も小さくなるように、エネルギー計画値とエネルギー需要値との関係を過去のデータを用いて算出するようにしたものがある（特許文献１参照）。また、各種エネルギーコストに基づき運転コストが最少となる熱源設備の最適組合せを算出し、その算出された最適の組合せで熱源設備を運転するようにしたものもある（特許文献２参照）。
【０００８】
【特許文献１】
特開平８−１３６１７４号公報
【０００９】
【特許文献２】
特開平５−１６４３７７号公報
【００１０】
【発明が解決しようとする課題】
ところが、このような運転運転支援装置では、予測値を算出するためのデータと演算された予測結果とを適切に評価し、予測結果の妥当性を検証してから、予測結果に基づき運転を行う必要がある。予測結果の検証を行わなければ、予測結果にズレがあった場合にそのまま運転に反映されてしまうことになり、金銭的な損失や運転の不都合が生じる可能性がある。
【００１１】
そのため運転員は、例えば二次エネルギーの予測を行う場合に、入力データの読み込みを行った後には入力データの確認を行い、問題があれば、再度、入力データの読み込みを行うかデータを修正して次の作業に進む。
【００１２】
そして、需要予測計算を行い、その需要予測計算を行った後には、需要予測結果の確認を行い、問題があれば、再度、入力データの読み込みを行うか、予測結果を修正して作業終了となる。このように、逐次、予測結果の妥当性を検証する必要がある。
【００１３】
入力データの確認や需要予測結果の確認では、複数のデータを参照して多面的な評価を行う必要があり、そのため確認作業は色々なものがあるが、例えば、現在入力されたデータと需要予測結果との関係が、過去の入力データと需要実績値との関係と比較して妥当なものかどうかを検証する。また、現在と、昨日、１週間前、１ヶ月前、１年前などをそれぞれ比較して妥当なものかどうかを検証する。入力データの増減と需要予測結果の増減とは、定性的に説明できるかかどうか、特性として正しいものかどうか。また、入力データの変化量に対して、需要予測結果の変化の大きさは定量的に妥当かどうかを検証する。
【００１４】
このように、プラントの運転に関する予測機能を持つプラント運転支援装置では、予測結果を多面的に評価・確認をする必要があるが、その作業に多大の労力を要する。すなわち、予測結果の評価の作業時に必要なデータを表示するのに手間がかかり、例えば、いくつかの段取りや操作を行わないとデータを表示できないことが多く、また、データが表示されても比較しにくい場合が多い。
【００１５】
本発明の目的は、エネルギー消費に関する入力データやエネルギー需要予測値の評価検証が容易に行えるプラント運転支援装置を得ることである。
【００１６】
【課題を解決するための手段】
本発明のプラント運転支援装置は、データ入力手段で取り込んだ入力データ及び演算手段で演算された需要予測結果をデータ記憶部に記憶し、描画手段により入力データ及び需要予測結果を所定の書式の画面に作成して表示装置に表示する。そして、操作手段により表示装置に表示された画面を介して他の画面への遷移や入力データの修正を行う。
【００１７】
所定の書式の画面には入力データ及び需要予測結果が表形式またはグラフ形式で表示され、画面上の操作ボタンの操作により他の画面に遷移して別のデータを表示したり、修正入力データの再入力を行う。これにより、エネルギー消費に関する入力データやエネルギー需要予測値の評価検証が容易に行える。
【００１８】
【発明の実施の形態】
以下、本発明の実施の形態を説明する。図１は本発明の実施の形態に係るプラント運転支援装置のブロック構成図である。外部から入力データ信号ａはデータ入力手段１１で取り込まれデータ記憶部１２に記憶される。演算手段１３は外部から取り込んだ入力データ信号ａに基づいてエネルギー需要予測の演算を行い、その需要予測結果ｂをデータ記憶部１２に記憶する。書式情報記憶部１４には、表示装置１５に表示される画面の所定の書式情報が予め記憶されており、また、遷移情報記憶部１６には他の画面への遷移に関する情報が記憶されている。描画手段１７はデータ記憶部１２に記憶された入力データ及び需要予測結果を所定の書式の画面に作成し表示装置１５に表示する。
【００１９】
すなわち、描画手段１７は書式情報記憶部１４の書式情報信号ｃと、遷移情報記憶部１６の遷移情報信号ｄと、データ記憶部１２に蓄えている保存データ信号ｅ（入力データ信号ａ、需要予測結果ｂ）に基づき、操作手段１８からの操作信号ｆに応じて、表示装置１５へデータや図形、文字などの描画信号ｇを出力し表示装置１５に画面を描画する。また、操作手段１８は表示装置１５に表示された画面を介して画面を介してマンマシンコミュニケーションを行うものであり、画面の表示操作や他の画面への遷移を行ったり、修正入力データの再入力を行う。
【００２０】
また、一時記憶部１９はデータ記憶部１２に記憶された入力データを修正する際に修正データｈを一時的に保存するためのものであり、後述するように、描画手段１７は、入力データの修正画面を表示装置１５に表示し、その修正画面を介して入力された修正データｈを一時的に一時記憶部１９に保存する。また、書式情報変更手段２０は、後述するように、操作手段１８からの操作信号ｆを入力し書式情報記憶部１４に記憶された書式のうちの操作ボタンの操作履歴の表示を更新するための更新信号ｊを描画手段１７に出力する。
【００２１】
ここで、データ入力手段１１は、外部からの動作信号ｋに基づき入力データ信号ａを取り込んだり、あるいは内部にタイマなどを持ち定期的に入力データ信号ａを取り込むようにすることができる。このように信号を取り込んだときに更新信号ｍを出力し、描画手段１７では更新信号ｍを受けたときに、表示装置１５の再描画を行う。これにより、常に最新の情報で画面の描画を行うことができるので、古い情報で確認をしてしまうといった間違いを防止することができる。この場合、データ記憶部１２では、必要によりデータ入力手段１１からの更新信号ｍを用いて、データの更新時刻を記憶しておく。
【００２２】
図２は、書式情報記憶部１４にて保存される書式情報の説明図である。この書式情報により、表示装置に表示される画面が決定される。すなわち、どのような画面で（表示される操作ボタンの種類や表形式／グラフ形式など、画面のデザイン）、どのようなデータを（気温、湿度、蒸気需要、冷水需要など、データ種別）、どのように表示するか（その他の書式）が指定される。描画手段１７は書式情報記憶部１４からの書式情報信号ｃに基づき表示装置１５に画面の描画を行う。
【００２３】
例えば、画面１では、気温と湿度とをそれぞれ実線にてグラフ形式にて表示し、気温は黒色で、湿度は赤色で表示する。また、気温の上限値は３０℃で下限値は０℃。湿度の上限値は０％で下限値は１００％。表示する時刻の範囲は気温及び湿度共に2002/08/01,0:00:00〜2002/08/02,0:00:00である。
【００２４】
また、ボタン１の「表形式」ボタンは「操作前」では赤色であり、「操作後」では白色であり、状態１ではその「操作前」か「操作後」かを示している。図２では状態１が「操作後」である場合を示している。従って、「表形式」ボタンは指定された白色にて描画される。同様に、ボタン２の「種別２」ボタンは、「操作前」では赤色であり、「操作後」では白色であり、状態２ではその「操作前」か「操作後」かを示している。図２では、状態２が「操作前」のため、指定された赤色にて描画される。
【００２５】
ここで、実際には、各画面の書式は書式情報記憶部１４として独立に持たなくても、例えばＨＴＭＬやJava（登録商標）などのように、各画面毎に、画面を描く命令と各画面の書式とが一緒に記述されていても良い。
【００２６】
次に、図３は遷移情報記憶部１６に記憶された状態遷移情報の説明図である。図３に示すように、現在表示されている画面と、その画面で呼び出される画面との関係を画面の状態遷移図として表したものである。後述するように各画面上には、操作ボタンが配置されており、この操作ボタンを操作することによって、他の画面に移ることができる。すなわち、状態遷移情報は、現在表示されている画面で、どの操作ボタンを操作すると、どんな画面が出るかといった画面の遷移を規定している。
【００２７】
例えば、いま画面１が表示されており、「表」ボタンが押されると、描画手段１７は「画面２」を表示する。いま画面１が表示されており、「種別３」ボタンが押されると、描画手段１７は「画面３」を表示する。
【００２８】
実際には、こういった状態遷移情報は遷移情報記憶部１６として独立に記述されなくても、他のプログラムと一緒に記述されていてもよい。例えば、操作ボタンの操作と遷移先の画面とは、ＨＴＭＬなどのようにリンクとして実現されても良いし、Visual Basicなどのようにオブジェクトに対する操作の結果として、特定の画面を表示する命令が実行されても良い。
【００２９】
図４は、表示装置１５に表示される画面の説明図である。画面２１上には、書式情報記憶部１４の書式情報に従って表示データ２２が描画され、操作ボタン２３ａ〜２３ｋが配置されている。これら各種操作ボタン２３ａ〜２３ｋを操作することによって、図３で示した遷移情報記憶部１６の状態遷移情報に基づき異なる画面が描画される。
【００３０】
例えば、前日ボタン２３ａを押すと前日（２４時間前）のデータが表示データ２２として描画される。翌日ボタン２３ｂを押すと翌日（２４時間後）のデータが描画される。日付・時刻指定ボタン２３ｃを押すと所定の日付・時刻から始まり所定の日付・時刻で終わるデータが描画される。これは、各々の操作ボタン２３ａ、２３ｂ、２３ｃが押されたときに、図２の書式情報の範囲１、範囲２を指定された時刻に変更し、画面を再描画することで実現する。このように、操作ボタンの操作により必要な日付・時刻の指定を行いデータを容易に表示できるので、作業時に見たい時刻のデータを表示するのにかかる手間を減らすことができる。
【００３１】
表形式表示ボタン２３ｄを押すと、表示データ２２の表示形式が現在の表示形式であるグラフ形式から図５のような表形式に切り替わる。逆に表形式の表示がされている場合に表形式表示ボタン２３ｄを押すとグラフ形式に戻る。また、種別変更ボタン２３ｅを押すと、図２及び図３を用いて説明したとおり、画面２１がそれぞれの書式の画面へ切り替わる。例えば、画面３では蒸気需要や冷水需要を見ることができる。これらは、図３を用いて説明した操作ボタンの操作と画面の状態遷移情報により実現できる。
【００３２】
このように、表形式表示ボタン２３ｄの操作により、表形式による定量的な値の表示と、グラフ形式による定性的な変化傾向の表示とを容易に切り替えられるので、定量的な値の確認と定性的な変化傾向の確認とを連続して行うことができ、作業にかかる手間を減らすことができる。また、種別変更ボタン２３ｅの操作により、例えば、気温や需要の予測結果など、必要なデータを容易に表示することができる。
【００３３】
追加ボタン２３ｆ、削除ボタン２３ｇ、変更ボタン２３ｈが押されたときには、書式情報記憶部１４にアクセスして、図２に示すような書式情報データの追加、削除、変更を行う。これにより、表示したい画面２１の設定を自由に行うことができる。また、当日のデータを黒い実線で表示しておき、前日のデータを薄い線で重ね書きするといった設定も行えるため、容易に比較を行うことができる。
【００３４】
入力データ表示ボタン２３ｉを押すと、入力されたデータが元の書式のまま表示される。例えば、外部入力としてホームページなどの情報を取り込んでいたときに、リンク先をそのページにしておけば、情報をそのまま表示することができる。これも、図３のボタン操作とそれに対応した各画面の書式情報により実現できる。入力されたデータを元の書式のまま表示することで、元の入力データに異常がないかどうか直接確認することができる。
【００３５】
スクロールボタン２３ｊを押すと、現在表示されている時間範囲はそのままで、前後の時間をスクロールして表示する。例えば、スクロール前の表示データ範囲：８月１日０時〜８月２日０時としたときに、未来へ５分だけスクロールしたデータ範囲：８月１日０時５分〜８月２日０時５分のように表示する。これも、図２の書式情報の範囲１、範囲２を指定された時刻に変更し、画面を再描画することで実現できる。これにより、表示されている範囲の前後の時間のデータを連続的に確認することができる。
【００３６】
ここで、データ記憶部１２に入力データの更新時刻が記憶されている場合には、描画手段１７では、データ記憶部１２に記憶されているデータの読み込み時刻を図４の更新時刻２４のようにそのまま文字列として表示したり、あるいは対応する時刻の位置に更新マーク２５として表示することができる。これにより、入力データの更新時刻が容易に把握できるので、入力データや予測結果に変化があった場合に、入力データの更新時刻と照らし合わせた検討を行うことができる。
【００３７】
また、予測作業において、入力データの確認・修正や、需要予測結果の確認・修正などの修正作業が発生した場合には、例えば、図６のような修正画面２６を表示装置１５に表示し、その修正画面２６の修正ウィンドウ２７から修正値を入力して修正を行う。
【００３８】
修正画面２６から入力された修正値は、一時記憶部１９に一時保存される。そして、すべての値の確認や修正が終わったときに、確定ボタン２８を押すと確定信号（許可信号）が一時記憶部１９へ出力される。これにより、一時記憶部１９に一時保存しておいた修正値がデータ記憶部１２に出力され、修正値の変更をデータ記憶部１２上に反映させる。キャンセルボタン２９が押された場合には、一時記憶部１９の内容を破棄して元の画面に戻る。これにより、確認途中で間違いがあったときでも元の状態に戻ることができる。また、全体の修正を終わらせて再度確認をしてから変更を反映させることができるので間違い防止になる。
【００３９】
次に、操作ボタン２３の操作履歴を必要に応じて表示することも可能である。図２の書式情報において、現在画面１が表示されているときには、ボタン２の「種別２」ボタンは状態２より「操作前」であるので、「赤」色にて表示されている。さらに「種別２」ボタンが操作されると、図１に示すように、操作信号ｆが書式情報変更手段２０へ出力される。書式情報変更手段２０はその操作信号ｆを入力すると書式変更信号ｉを出力し、図２の画面１の状態２を「操作後」に書き換え、その後更新信号ｊを描画手段１７へ出力する。描画手段１７は更新信号ｊに基づいて最新の情報にて表示装置１５に表示を行う。つまり、画面１のボタン２の「種別２」ボタンは、状態２が「操作後」に変更されたため、「白」色にて表示される。こうして、それまで赤色だった種別２ボタンがその操作により白色となる。
【００４０】
このように、各画面に対して操作ボタンの操作による色の変更と、現在のボタンの状態を定義しておき、各画面に対して操作が必要なボタン（つまりボタン操作により画面が切り替わるので、どの画面が確認のために表示される必要があるか）を示すことができる。これにより、運転員が確認作業のために、どの画面を表示すればよいか、どの画面まで確認が終わっており、どの画面の確認が残っているかを示すことができ、確認手順の明示化と確認し残しミスの低減に役立つ。なお、特に注意を促す必要がないボタンは、例えば画面２の「前日」ボタンや「翌日」ボタンについては、操作の前後で同じ色としておいても良い。
【００４１】
以上の説明では、表示装置１５は、１画面（１端末）上の１つの表示ウィンドウの場合で説明してきたが、これが１画面（１端末）上の複数ウィンドウであっても良いし、複数画面（複数端末）上の複数ウィンドウであっても良い。この時には、操作手段１８を操作したときに、表示先のウィンドウを指定したり、操作手段１８を操作しているウィンドウや画面に対して表示を行っても良い。これにより、複数画面（端末）や複数ウィンドウを開いて作業を行うことで、各種データを一度に閲覧しながら作業を行うことができ、容易に多面的な評価作業を行うことができる。
【００４２】
また、以上述べた手段は、コンピュータに実行させることのできるプログラムとして、コンピュータを、外部からエネルギー消費に関するデータを入力データとして取り込むデータ入力手段と、外部から取り込んだ入力データに基づいてエネルギー需要予測の演算を行う演算手段と、前記データ入力手段で取り込んだ入力データ及び前記演算手段で演算された需要予測結果をデータ記憶部に記憶する手段と、前記データ記憶部に記憶された入力データ及び需要予測結果を所定の書式の画面に作成する描画手段と、前記描画手段で作成された画面を表示装置に表示する手段と、前記表示装置に表示された画面を介して他の画面への遷移を行う操作手段として機能させることができる。
【００４３】
【発明の効果】
以上述べたように、本発明によれば、将来時刻のプラントの運転に関する予測機能を持つ場合に、その予測結果の確認・修正作業時に必要なデータを容易に表示することができので、確認・修正作業にかかる手間を減らすことができる。また、表示や比較にかかる手間が減るので、誤操作や作業の中断など間違いの発生を減らすことができ、正確な作業を行うことができる。
【図面の簡単な説明】
【図１】本発明の実施の形態に係るプラント運転支援装置のブロック構成図。
【図２】本発明の実施の形態における書式情報記憶部にて保存される書式情報の説明図。
【図３】本発明の実施の形態における遷移情報記憶部に記憶された状態遷移情報の説明図。
【図４】本発明の実施の形態における表示装置に表示される画面の説明図。
【図５】本発明の実施の形態における表示データを表形式で表示した場合の説明図。
【図６】本発明の実施の形態における入力データを修正する際の修正画面の説明図。
【符号の説明】
【符号の説明】
１１…データ入力手段、１２…データ記憶部、１３…演算手段、１４…書式情報記憶部、１５…表示装置、１６…遷移情報記憶部、１７…描画手段、１８…操作手段、１９…一時記憶部、２０…書式情報変更手段、２１…画面、２２…表示データ、２３…操作ボタン、２４…更新時刻、２５…更新マーク、２６…修正画面、２７…修正ウィンドウ、２８…確定ボタン、２９…キャンセルボタン
【図１】
2004192566.tif 000003
【図２】
2004192566.tif 000004
【図３】
2004192566.tif 000005
【図４】
2004192566.tif 000006
【図５】
2004192566.tif 000007
【図６】
2004192566.tif 000008